(57)【要約】【課題】電力消費を抑制できる電子時計及び制御方法を提供すること。【解決手段】電子時計は、所定の計測項目を計測する計測部と、駆動電力を供給する電池と、計測部による計測結果を表示可能な表示部と、電池の電池残量が所定値未満である場合、計測結果を表示部に表示させる表示モードへの切替を規制する動作制御部と、を有する。【選択図】図３
2018159666.tif 000002
【特許請求の範囲】
【請求項１】
所定の計測項目を計測する計測部と、
駆動電力を供給する電池と、
前記計測部による計測結果を表示可能な表示部と、
前記電池の電池残量が所定値未満である場合、前記計測結果を前記表示部に表示させる表示モードへの切替を規制する動作制御部と、を有することを特徴とする電子時計。
【請求項２】
請求項１に記載の電子時計において、
前記動作制御部は、前記電池残量が所定値未満になると、前記計測部による計測を規制することを特徴とする電子時計。
【請求項３】
所定の計測項目を計測する計測部と、
駆動電力を供給する電池と、
前記計測部による計測値のうち、上位桁の数値を示す上位桁表示針、及び、下位桁の数値を示す下位桁表示針を有する表示部と、
前記電池の電池残量が所定値未満である場合、前記上位桁表示針及び前記下位桁表示針のうち、一方の表示針による前記数値の表示を規制する動作制御部と、を有することを特徴とする電子時計。
【請求項４】
請求項３に記載の電子時計において、
前記計測部は、複数の前記計測項目を計測可能に構成され、
前記上位桁表示針及び前記下位桁表示針のうち、前記数値の表示が規制される表示針は、前記計測項目に応じて設定されていることを特徴とする電子時計。
【請求項５】
所定の計測項目を計測する計測部と、
駆動電力を供給する電池と、
前記計測部による計測結果を表示可能な表示部と、
装置全体の動作を制御する制御部と、を有し、
前記制御部は、
前記電池の電池残量が所定値以上である場合、第１回数の前記計測結果の平均値を前記表示部に表示させ、
前記電池残量が前記所定値未満である場合、前記第１回数より少ない第２回数の前記計測結果の平均値を前記表示部に表示させることを特徴とする電子時計。
【請求項６】
請求項５に記載の電子時計において、
前記制御部は、前記電池残量が前記所定値以上である場合、前記計測部に前記第１回数の計測を実施させ、前記電池残量が前記所定値未満である場合、前記計測部に前記第２回数の計測を実施させることを特徴とする電子時計。
【請求項７】
所定の計測項目を計測する計測部と、駆動電力を供給する電池と、前記計測部による計測結果を表示可能な表示部と、を備える電子時計の制御方法であって、
前記電池の電池残量が所定値未満である場合、前記計測結果を前記表示部に表示させる表示モードへの切替を規制することを特徴とする制御方法。
【請求項８】
所定の計測項目を計測する計測部と、駆動電力を供給する電池と、前記計測部による計測値のうち、上位桁の数値を示す上位桁表示針、及び、下位桁の数値を示す下位桁表示針を有する表示部と、を備える電子時計の制御方法であって、
前記電池の電池残量が所定値未満である場合、前記上位桁表示針及び前記下位桁表示針のうち、一方の表示針による前記数値の表示を規制することを特徴とする制御方法。
【請求項９】
所定の計測項目を計測する計測部と、駆動電力を供給する電池と、前記計測部による計測結果を表示可能な表示部と、を備える電子時計の制御方法であって、
前記電池の電池残量が所定値以上である場合、第１回数の前記計測結果の平均値を表示し、
前記電池残量が前記所定値未満である場合、前記第１回数より少ない第２回数の前記計測結果の平均値を表示することを特徴とする制御方法。
【発明の詳細な説明】
【技術分野】
【０００１】
本発明は、電子時計及び制御方法に関する。
【背景技術】
【０００２】
従来、現在時刻を時分針によって指示するとともに、計測された温度等の物理量を情報指針によって指示する電子時計が知られている（例えば、特許文献１参照）。
この特許文献１に記載の電子時計は、現在時刻を計時する構成に加えて、外気温を検出する温度センサーと、温度センサーの通電及び計測周期を制御して温度計測を行う温度センサー制御部と、を備えている。この電子時計では、時刻は、文字板の中心を軸に文字板の全体で回転される時針及び分針によって示される。また、温度センサーによって計測された温度は、文字板の９時位置に設けられた目盛部に位置する小針によって示される。
【０００３】
この他、上記電子時計は、上記情報指針を回転駆動させるモーターと、当該モーターに電力を供給する電池と、当該電池の電圧を検出する電圧検出部と、時計全体の制御を行うＣＰＵと、を備える。このＣＰＵは、例えば、電圧検出部によって検出される電池電圧（バッテリーレベル）が低下すると、当該電池電圧に応じて、温度表示最大値及び温度表示最小値により規定される数値範囲を大きくして、上記小針の回転駆動量を小さくする。これにより、駆動電圧限界まで、小針による物理量表示を可能としている。
【先行技術文献】
【特許文献】
【０００４】
【特許文献１】特開２０１３−５７５１７号公報
【発明の概要】
【発明が解決しようとする課題】
【０００５】
ところで、電池残量が減少した場合、上記特許文献１に記載の電子時計のような省電力処理を行わないと、センサーによる計測値だけでなく、通常表示されるべき現在時刻も表示されなくなるおそれがある。このため、所定の物理量を計測可能な電子時計において、消費電力を抑制可能な構成が要望されている。
【０００６】
本発明は、上記課題の少なくとも一部を解決することを目的としたものであり、電力消費を抑制できる電子時計及び制御方法を提供することを目的の１つとする。
【課題を解決するための手段】
【０００７】
本発明の第１態様に係る電子時計は、所定の計測項目を計測する計測部と、駆動電力を供給する電池と、前記計測部による計測結果を表示可能な表示部と、前記電池の電池残量が所定値未満である場合、前記計測結果を前記表示部に表示させる表示モードへの切替を規制する動作制御部と、を有することを特徴とする。
【０００８】
上記第１態様によれば、電池残量が所定値未満となった場合に、上記表示モードへの切り替えが規制されることにより、少なくとも表示部による計測結果の表示が規制される。これによれば、表示部が、当該計測結果を表示するディスプレイを有する構成や、当該計測結果を指示する指針を有する場合のいずれの場合でも、当該計測結果の表示に必要な電力が消費されることを抑制できる。従って、電子時計の電力消費を抑制できる。
【０００９】
上記第１態様では、前記動作制御部は、前記電池残量が所定値未満になると、前記計測部による計測を規制することが好ましい。
このような構成によれば、表示部による計測結果の表示だけでなく、計測部による計測も規制されるので、電子時計の電力消費を更に抑制できる。
【００１０】
本発明の第２態様に係る電子時計は、所定の計測項目を計測する計測部と、駆動電力を供給する電池と、前記計測部による計測値のうち、上位桁の数値を示す上位桁表示針、及び、下位桁の数値を示す下位桁表示針を有する表示部と、前記電池の電池残量が所定値未満である場合、前記上位桁表示針及び前記下位桁表示針のうち、一方の表示針による前記数値の表示を規制する動作制御部と、を有することを特徴とする。
【００１１】
上記第２態様によれば、電池残量が所定値未満である場合に、上位桁表示針及び下位桁表示針のうち、一方の表示針による数値の指示が規制されるので、当該一方の表示針の駆動に必要な電力が消費されることが抑制される。従って、電子時計の電力消費を抑制できる。
【００１２】
上記第２態様では、前記計測部は、複数の前記計測項目を計測可能に構成され、前記上位桁表示針及び前記下位桁表示針のうち、前記数値の表示が規制される表示針は、前記計測項目に応じて設定されていることが好ましい。
このような構成によれば、計測項目において変動が大きな桁や重視される桁を表示する表示針以外の表示針が規制されるように構成することにより、最低限必要な数値を表示しつつ、電力消費を抑制できる。
【００１３】
本発明の第３態様に係る電子時計は、所定の計測項目を計測する計測部と、駆動電力を供給する電池と、前記計測部による計測結果を表示可能な表示部と、装置全体の動作を制御する制御部と、を有し、前記制御部は、前記電池の電池残量が所定値以上である場合、第１回数の前記計測結果の平均値を前記表示部に表示させ、前記電池残量が前記所定値未満である場合、前記第１回数より少ない第２回数の前記計測結果の平均値を前記表示部に表示させることを特徴とする。
【００１４】
上記第３態様によれば、電池残量に応じた計測回数の計測結果の平均値が表示部に表示される。これによれば、電池残量が上記所定値以上である場合に対して、当該所定値未満である場合の計測回数、すなわち、平均値の算出に必要な計測結果の数を少なくすることができる。従って、電池残量が所定値未満となった場合に、平均値の演算に要する消費電力を低減できるので、電子時計の電力消費を抑制できる。
【００１５】
上記第３態様では、前記制御部は、前記電池残量が前記所定値以上である場合、前記計測部に前記第１回数の計測を実施させ、前記電池残量が前記所定値未満である場合、前記計測部に前記第２回数の計測を実施させることが好ましい。
このような構成によれば、電池残量が上記所定値以上である場合の計測回数より、当該所定値未満である場合の計測回数を少なくすることができる。すなわち、電池残量が上記所定値以上である場合に対して、当該所定値未満である場合に実施される計測の回数を少なくすることができる。従って、電池残量が所定値未満となった場合に、計測部による計測に要する消費電力を低減できるので、電子時計の電力消費を抑制できる。
【００１６】
本発明の第４態様に係る制御方法は、所定の計測項目を計測する計測部と、駆動電力を供給する電池と、前記計測部による計測結果を表示可能な表示部と、を備える電子時計の制御方法であって、前記電池の電池残量が所定値未満である場合、前記計測結果を前記表示部に表示させる表示モードへの切替を規制することを特徴とする。
上記第４態様によれば、上記電子時計を用いて当該制御方法を実施することにより、上記第１態様に係る電子時計と同様の効果を奏することができる。
【００１７】
本発明の第５態様に係る制御方法は、所定の計測項目を計測する計測部と、駆動電力を供給する電池と、前記計測部による計測値のうち、上位桁の数値を示す上位桁表示針、及び、下位桁の数値を示す下位桁表示針を有する表示部と、を備える電子時計の制御方法であって、前記電池の電池残量が所定値未満である場合、前記上位桁表示針及び前記下位桁表示針のうち、一方の表示針による前記数値の表示を規制することを特徴とする。
上記第５態様によれば、上記電子時計を用いて当該制御方法を実施することにより、上記第２態様に係る電子時計と同様の効果を奏することができる。
【００１８】
本発明の第６態様に係る制御方法は、所定の計測項目を計測する計測部と、駆動電力を供給する電池と、前記計測部による計測結果を表示可能な表示部と、を備える電子時計の制御方法であって、前記電池の電池残量が所定値以上である場合、第１回数の前記計測結果の平均値を表示し、前記電池残量が前記所定値未満である場合、前記第１回数より少ない第２回数の前記計測結果の平均値を表示することを特徴とする。
上記第６態様によれば、上記電子時計を用いて当該制御方法を実施することにより、上記第３態様に係る電子時計と同様の効果を奏することができる。
【図面の簡単な説明】
【００１９】
【図１】本発明の第１実施形態に係る電子時計を示す模式図。
【図２】上記第１実施形態における電子時計の構成を示すブロック図。
【図３】上記第１実施形態における制御部の構成を示すブロック図。
【図４】上記第１実施形態における省電力処理を示すフローチャート。
【図５】本発明の第２実施形態に係る電子時計が実施する省電力処理を示すフローチャート。
【図６】本発明の第３実施形態に係る電子時計が実施する省電力処理を示すフローチャート。
【発明を実施するための形態】
【００２０】
［第１実施形態］
以下、本発明の第１実施形態について、図面に基づいて説明する。
［電子時計の概略構成］
図１は、本実施形態に係る電子時計１を示す正面図である。
本実施形態に係る電子時計１は、ユーザーによって携帯可能に構成され、当該ユーザーに装着されて利用されるウェアラブル機器であり、図１に示すように、現在時刻とセンサーによる計測結果とを針によって指示するアナログ式の電子時計である。この電子時計１（以下、時計１と略す場合がある）は、時計本体２と、当該時計本体２をユーザーの身体（例えば手首）に装着させるバンド（図示省略）と、を備える。
【００２１】
［時計本体の構成］
時計本体２は、正面視略円形状の筐体２１及び表示部２２を有する。
筐体２１は、それぞれ筐体２１の側面に突設された３つのスイッチＳＷ（ＳＷＡ〜ＳＷＣ）と、１つのりゅうずＣＲと、を有する。
スイッチＳＷＡ〜ＳＷＣは、略８時方向、略１０時方向及び略２時方向の位置にそれぞれ配置され、ユーザーによる入力操作（押下操作）を受け付ける操作部を構成する。これらスイッチＳＷＡ〜ＳＷＣは、当該入力操作に応じた操作信号を、後述する制御部４０（図２参照）に出力する。
りゅうずＣＲは、後述する指針Ｈ（例えば時針Ｈ１及び分針Ｈ２）を操作する際に利用される。
【００２２】
表示部２２は、円形状の文字盤２３と、当該文字盤２３に回動可能に設けられる複数の指針Ｈ（時針Ｈ１、分針Ｈ２、秒針Ｈ３、モード針Ｈ４、残量針Ｈ５及び表示針Ｈ６〜Ｈ８）と、を備えて構成され、これら指針Ｈは、後述する駆動部３７によって回動される。
文字盤２３は、筐体２１の正面に配置されており、３つの小窓２４〜２６を有する。
なお、時針Ｈ１、分針Ｈ２及び表示針Ｈ８は、それぞれの回転軸が文字盤２３の略中央にて同軸となるように回転可能に設けられている。
【００２３】
小窓２４は、文字盤２３において略１０時方向に位置する。この小窓２４には、秒針Ｈ３が回転可能に配置されている。
小窓２５は、文字盤２３において略６時方向に位置する。この小窓２５には、モード針Ｈ４及び残量針Ｈ５が、それぞれの回動軸が小窓２５の略中央にて同軸となるように回動可能に配置されている。これらのうち、モード針Ｈ４は、時計１の現在の動作モードを指し示す針であり、残量針Ｈ５は、筐体２１に内蔵された二次電池３３（図２参照）の電池残量を指し示す針である。
小窓２６は、文字盤２３における略２時方向の位置に配置されている。この小窓２６には、表示針Ｈ６，Ｈ７が、それぞれの回転軸が同軸となるように回転可能に配置されている。これらのうち、表示針Ｈ７は、表示針Ｈ６より長く、表示針Ｈ８より短い。すなわち、表示針Ｈ６〜Ｈ８のうち、表示針Ｈ８が最も長く、表示針Ｈ６が最も短い。
【００２４】
なお、時計１（時計本体２）は、後述する計測部３８（図２参照）による計測結果、及び、外部機器である計測装置（図示省略）から受信された計測結果を示す際に、上記表示針Ｈ６〜Ｈ８によって四桁の数値を指し示すことが可能である。本実施形態では、当該四桁の数値のうち、上位一桁目の数値（例えば千の桁の数値）を表示針Ｈ６が指示し、上位二桁目の数値（例えば百の桁の数値）を表示針Ｈ７が指示し、上位三桁目及び四桁目の数値（例えば十の桁及び一の桁の数値）を表示針Ｈ８が指示する。小数点以下の数値を示す場合も同様である。すなわち、それぞれ一回転する間に、表示針Ｈ６，Ｈ７は「０」〜「９」の値を指示し、表示針Ｈ８は「００」〜「９９」の値を指示する。
【００２５】
［電子時計の内部構成］
図２は、時計１の内部構成を示すブロック図である。
時計１は、上記構成の他、図２に示すように、それぞれ筐体２１に配置される発電部３１、充電部３２、二次電池３３、受信部３４、計時部３５、通信部３６、駆動部３７、計測部３８、記憶部３９及び制御部４０を有する。
【００２６】
発電部３１は、二次電池３３を充電する電力を発生させる。本実施形態では、発電部３１としては、光エネルギーを電気エネルギー（電力）に変換する複数のソーラーセル（光発電素子）を有するソーラーパネルが採用されている。しかしながら、これに限らず、発電部３１は、回転錘を回転させることによって発電する構成であってもよい。
充電部３２は、発電部３１にて発電された電力によって二次電池３３を充電する。
二次電池３３は、時計本体２に駆動電力を供給する電池である。この二次電池３３の電池残量は、上記残量針Ｈ５によって指示される。
【００２７】
受信部３４は、ＧＰＳ（Global Positioning System）信号等の衛星信号や標準電波等に含まれる日時情報を受信する。この受信部３４による日時情報の受信は、制御部４０によって制御され、例えば、上記スイッチＳＷＢの押下に応じた操作信号が入力された場合や、予め設定された時刻になったときに実施される。
計時部３５は、現在日時を計時する。この現在日時は、受信部３４によって受信された日時情報に基づいて修正される。
【００２８】
通信部３６は、制御部４０による制御の下、外部機器と通信する。このような通信部３６は、例えば、例えばＩＥＥＥ８０２．１５等の近距離無線通信規格に応じた通信方式や、ＩＥＥＥ８０２．１６及びＬＴＥ（Long Term Evolution）等の通信規格に応じた通信方式により、外部機器と通信可能な通信モジュールにより構成できる。なお、前者の通信方式としては、Bluetooth（登録商標）が挙げられる。
【００２９】
駆動部３７は、制御部４０による制御の下、上記指針Ｈを回動（移動）させるものであり、上記表示部２２を構成する。本実施形態では、駆動部３７は、複数のステッピングモーターを備えて構成されている。
詳述すると、駆動部３７は、時針Ｈ１及び分針Ｈ２を回動（回転）させる時分用モーター３７１と、秒針Ｈ３を回動させる秒用モーター３７２と、モード針Ｈ４を回動させるモード用モーター３７３と、残量針Ｈ５を回動させる残量用モーター３７４と、表示針Ｈ６，Ｈ７を回動させる第１モーター３７５と、表示針Ｈ８を回動させる第２モーター３７６とを備える。これらモーターの駆動は、制御部４０によって個別に制御される。
【００３０】
計測部３８は、所定の計測項目を計測する。このような計測項目として、例えば、ユーザーの生体及び体動に関する計測項目や、時計１の周囲環境に関する計測項目が挙げられる。具体的に、計測部３８は、方位を計測する方位センサーと、気圧を計測する気圧センサーとを有し、これらの検出結果に基づいて方位及び気圧を計測する。また、計測部３８は、計測された気圧に基づいて高度を計測する。そして、計測部３８は、これら計測項目（方位、気圧及び高度）の計測結果を、制御部４０に出力する。
なお、計測部３８は、ユーザーの生体及び体動に関する情報を計測するセンサーとして、脈波を検出して脈拍数を計測する脈波センサーや、ユーザーの体動（具体的には当該体動によって作用される加速度）を検出する加速度センサーを備えてもよい。計測部３８が加速度センサーを有する場合には、当該加速度センサーによる検出結果に基づいて、ユーザーの歩数や消費カロリーを計測可能である。また、計測部３８は、上記周囲環境に関する情報を計測するセンサーとして、紫外線センサーや温度センサーを備えてもよい。
【００３１】
記憶部３９は、例えばフラッシュメモリー等の不揮発性メモリーを備えて構成され、時計１の動作に必要な各種プログラムやデータを記憶している。このようなプログラムとして、記憶部３９は、上記二次電池３３の電池残量が所定値未満となった場合（電池電圧が所定値未満となった場合）に制御部４０によって実行される省電力処理を実行するための省電力プログラムを記憶している。また、記憶部３９は、計測部３８による計測値を、計時部３５によって計時されている現在日時と関連付けて記憶する。
【００３２】
図３は、制御部４０の構成を示す機能ブロック図である。
制御部４０は、例えばＣＰＵ（Central Processing Unit）等の演算処理回路を備えて構成され、時計１全体の動作を制御する。例えば、制御部４０は、上記スイッチＳＷの押下に応じて入力される操作信号に応じた処理を実行する他、上記日時情報の受信及び現在日時の修正を上記受信部３４及び計時部３５に実施させたり、上記駆動部３７に上記指針Ｈの運針を実施させたりする。更に、制御部４０は、上記省電力プログラムを実行して、二次電池３３の電池電圧が所定値未満となった場合に電力消費を抑制する省電力処理を実施する。
これらの処理を実行するために、制御部４０は、図３に示すように、モード設定部４０１、通信制御部４０２、計測制御部４０３、表示制御部４０４、残量判定部４０５及び動作制御部４０６を有する。
【００３３】
モード設定部４０１は、上記スイッチＳＷＣの入力操作に応じて時計１の動作モードを設定する。具体的に、モード設定部４０１は、当該入力操作に応じた操作信号が入力されると、時計１の動作モードを順次切り替える。このような動作モードとして、時計１には、基本モード、機内モード、方位表示モード、気圧表示モード、高度表示モード及び通信モードが設定されている。なお、モード設定部４０１によって設定された動作モードは、上記モード針Ｈ４によって示される。
【００３４】
基本モードは、現在日時を表示する他、日時情報を含む電波や外部機器との通信波を受信可能なモードである。
機内モードは、飛行機の機内にある場合に利用されるモードであり、電波受信が制限されるモードである。
方位表示モードは、上記方位センサーの検出結果に基づく方位（北の向き）を表示針Ｈ８によって示すモードである。
気圧表示モードは、上記気圧センサーの検出結果に基づく気圧を表示針Ｈ６〜Ｈ８によって示すモードである。
高度表示モードは、上記気圧センサーによって検出された気圧に基づいて算出される高度を表示針Ｈ６〜Ｈ８によって示すモードである。
通信モードは、通信部３６による外部機器との通信を実施させるモードである。
【００３５】
通信制御部４０２は、受信部３４及び通信部３６による電波受信を制御する。例えば、通信制御部４０２は、時計１の動作モードが機内モードでない場合に、上記スイッチＳＷＡの入力操作に応じた操作信号が入力されると、受信部３４に日時情報を受信させる。また、通信制御部４０２は、計時部３５によって計時されている現在日時の時刻が予め設定された予約時刻に達すると、受信部３４に日時情報を受信させる。この日時情報に基づいて、計時部３５の現在日時が修正される。
また、通信制御部４０２は、時計１の動作モードが通信モードに切り替えられると、上記通信部３６によって計測装置等の外部機器との通信を実施させる。
なお、通信制御部４０２は、時計１の動作モードが機内モードである場合には、受信部３４及び通信部３６による電波受信を規制する。
【００３６】
計測制御部４０３は、計測部３８による計測動作を制御する。例えば、計測制御部４０３は、時計１の動作モードが方位表示モードである場合に、方位センサーによる方位の検出を計測部３８に実施させる。また、計測制御部４０３は、当該動作モードが気圧表示モードである場合には、気圧センサーによる気圧の検出を計測部３８に実施させ、当該動作モードが高度表示モードである場合には、検出された気圧に基づく高度の算出（演算）を計測部３８に実施させる。また、時計１の動作モードがこれら表示モード以外の動作モードである場合でも、計測制御部４０３は、計測部３８に方位、気圧及び高度の計測を定期的に実施させ、これらの計測結果を記憶部３９に記憶させる。
【００３７】
表示制御部４０４は、駆動部３７による上記指針Ｈの運針を制御して、表示部２２による表示を制御する。具体的に、表示制御部４０４は、時分用モーター３７１及び秒用モーター３７２を駆動させて、時針Ｈ１、分針Ｈ２及び秒針Ｈ３によって現在時刻を指示させる。また、表示制御部４０４は、モード用モーター３７３を駆動させて、モード針Ｈ４によって現在の動作モードを指示させ、残量用モーター３７４を駆動させて、残量針Ｈ５によって二次電池３３の電池残量を指示させる。
更に、表示制御部４０４は、上記動作モードが方位、気圧及び高度の表示モードのいずれかである場合、或いは、上記動作モードが通信モードであり、計測装置（図示省略）から計測結果を受信可能な場合には、モーター３７５，３７６を駆動させ、表示針Ｈ６〜Ｈ８によって、該当する計測結果（計測値）を指示させる。なお、これら表示針Ｈ６〜Ｈ８による数値の指示（表示）は、上記のとおりである。
【００３８】
残量判定部４０５は、二次電池３３の電池電圧を検出することによって、当該二次電池３３の電池残量を監視し、当該電池残量が所定値以下となったか否かを判定する。具体的に、残量判定部４０５は、当該電池残量が第１閾値未満となったか否かを判定する。そして、残量判定部４０５は、当該電池電圧が第１閾値未満となったと判定すると、当該第１閾値より小さい第２閾値未満となったか否かを判定する。更に、残量判定部４０５は、当該電池残量が第２閾値未満となったと判定すると、当該第２閾値より小さい第３閾値未満となったか否かを判定する。
これら閾値のうち、第１閾値は、例えば、二次電池３３の電池残量が満充電時の略３０％となった場合の電池残量に設定され、第２閾値は、略２０％となった場合の電池残量に設定され、第３閾値は、略１０％となった場合の電池残量に設定される。しかしながら、これらに限定されず、各閾値は、適宜設定可能である。
なお、二次電池３３の電池残量は、駆動部３７によって回動される残量針Ｈ５によって指示される。
【００３９】
動作制御部４０６は、電池残量が低下した場合に、電力消費を抑制するように時計１の動作を制御する。
本実施形態では、動作制御部４０６は、二次電池３３の電池残量に基づいて、モード設定部４０１によって切替可能な動作モードを制限する。
具体的に、動作制御部４０６は、残量判定部４０５によって二次電池３３の電池残量が上記第１閾値未満となったと判定されると、上記動作モードのうち、方位表示モードへの切り替えを規制する。これにより、上記駆動部３７及び表示針Ｈ６〜Ｈ８による方位の表示が行われなくなる。また、この状態では、動作制御部４０６は、計測制御部４０３を制御して、計測部３８の方位センサーを停止させる。
【００４０】
また、動作制御部４０６は、当該電池残量が上記第２閾値未満となったと判定されると、方位表示モードに加えて高度表示モードへの切り替えを規制する。これにより、上記駆動部３７及び表示針Ｈ６〜Ｈ８による方位及び高度の表示が行われなくなる。また、この状態では、動作制御部４０６は、計測制御部４０３を制御して、上記方位センサーを停止させる他、上記気圧センサーによる検出結果に基づく高度の演算を停止させる。
更に、動作制御部４０６は、当該電池残量が上記第３閾値未満となったと判定されると、方位表示モード及び高度表示モードに加えて気圧表示モードへの切り替えを規制する。これにより、上記駆動部３７及び表示針Ｈ６〜Ｈ８による方位、高度及び気圧の表示が行われなくなる。また、この状態では、動作制御部４０６は、計測制御部４０３を制御して、上記方位センサー及び上記気圧センサーを停止させる他、高度の演算を停止させる。
【００４１】
このように、電池残量に応じて、方位表示モード、高度表示モード、気圧表示モードの順に切替が規制されるのは、方位の検出、高度の演算及び気圧の検出のうち、方位の検出に要する消費電力が最も高く、気圧の検出に要する消費電力が最も低いことから、消費電力が最も低い気圧検出の規制を、可能な限り遅らせるためである。
【００４２】
なお、二次電池３３の電池残量が少ない場合でも、ユーザーが上記計測結果を確認したい場合はある。そして、時計１が、ユーザーによるスイッチＳＷに対する入力操作に応じて、計測部３８により計測可能な計測項目（本実施形態では方位、高度及び気圧）を強制的に計測可能な構成である場合には、電池残量に応じて、以下のように消費電力を低減させてもよい。
例えば、電池残量が第３閾値未満となったと判定された場合には、動作制御部４０６は、計測制御部４０３を制御して、計測部３８による計測時間を短縮する。具体的に、電池残量が第３閾値以上である場合の計測時間が１分間である場合に、電池残量が第３閾値未満となったと判定されると、動作制御部４０６は、当該計測時間を３０秒間とする。これにより、時計１の電力消費を抑制できる。これら計測時間は、適宜変更可能である。
【００４３】
また、上記のように、時計１が、計測部３８により計測可能な計測項目を、動作モードに依らずに定期的に計測する場合、動作制御部４０６は、電池残量に応じて、以下のように消費電力を低減させてもよい。
例えば、電池残量が第３閾値未満となったと判定された場合には、動作制御部４０６は、計測制御部４０３を制御して、上記計測項目の計測周期を長くする。具体的に、電池残量が第３閾値以上である場合の計測周期が１０分である場合（１０分毎に各計測項目の計測を実施する場合）に、電池残量が第３閾値未満になると、動作制御部４０６は、当該計測周期を３０分とする。これにより、時計１の電力消費を抑制できる。これら計測周期は、適宜変更可能である。
【００４４】
これらに加えて、動作制御部４０６は、電池残量に応じた動作モードの切替規制に加えて、通信モードでの動作制御も実施する。具体的に、上記動作モードが通信モードに設定されて、計測装置等の外部機器と通信する場合、電池残量が第１閾値未満となったと判定されると、動作制御部４０６は、通信制御部４０２を制御して、通信部３６による外部機器との通信時間を、電池残量が第１閾値以上である場合の通信時間より短縮する。例えば、電池残量が第１閾値以上である場合の通信時間が１分間であれば、当該電池残量が第１閾値未満となったと判定されると、動作制御部４０６は、当該通信時間を３０秒間に変更する。更に、電池残量が第３閾値未満となったと判定されると、動作制御部４０６は、通信モードへの切り替えを規制して、通信部３６による外部機器との通信を規制する。これにより、時計１の電力消費を抑制できる。この場合の閾値も、適宜変更可能である。
【００４５】
なお、充電部３２によって二次電池３３が充電され、当該二次電池３３の電池残量が増えた場合には、動作制御部４０６による規制が順に解除される。
具体的に、当該電池残量が上記第３閾値以上になれば、動作制御部４０６は、当該電池残量が第３閾値未満になった場合に当該動作制御部４０６によって実行された規制を解除する。また、当該電池残量が上記第２閾値以上になれば、動作制御部４０６は、当該電池残量が第２閾値未満になった場合に当該動作制御部４０６によって実行された規制を解除する。更に、当該電池残量が上記第１閾値以上となれば、動作制御部４０６は、全ての規制を解除する。
【００４６】
［省電力処理］
図４は、制御部４０によって実施される省電力処理を示すフローチャートである。
上記制御部４０は、記憶部３９に記憶された省電力プログラムを実行して省電力処理を実施し、二次電池３３の電池残量に応じた機能制限を行う。
この省電力処理では、図４に示すように、まず、残量判定部４０５が、二次電池３３の電池残量が上記第１閾値未満であるか否かを判定する（ステップＳＡ１）。
このステップＳＡ１の判定処理にて、残量判定部４０５によって電池残量が第１閾値未満でない、すなわち、第１閾値以上であると判定されると（ステップＳＡ１：ＮＯ）、制御部４０は、処理をステップＳＡ１に戻す。これにより、残量判定部４０５による電池残量の監視が、所定間隔毎に繰り返し実行される。
【００４７】
一方、ステップＳＡ１の判定処理にて、電池残量が第１閾値未満であると判定されると（ステップＳＡ１：ＹＥＳ）、動作制御部４０６が、モード設定部４０１を制御して、方位表示モードへの切り替えを規制する（ステップＳＡ２）。また、動作制御部４０６は、計測制御部４０３を制御して、計測部３８を構成する方位センサーを停止させる（ステップＳＡ３）。
【００４８】
次に、残量判定部４０５が、電池残量が第２閾値未満であるか否かを判定する（ステップＳＡ４）。
このステップＳＡ４の判定処理にて、電池残量が第２閾値未満でない、すなわち、第２閾値以上であると判定されると（ステップＳＡ４：ＮＯ）、制御部４０は、省電力処理を終了する。このように、電池残量が第１閾値未満で第２閾値以上である場合には、方位表示モードへの切替規制、及び、方位センサーの停止が実行される。
【００４９】
一方、ステップＳＡ４の判定処理にて、電池残量が第２閾値未満であると判定されると（ステップＳＡ４：ＹＥＳ）、動作制御部４０６が、モード設定部４０１を制御して、高度表示モードへの切り替えを規制する（ステップＳＡ５）。また、動作制御部４０６は、計測制御部４０３を制御して、気圧センサーにより検出された気圧に基づく高度の演算を停止させる（ステップＳＡ６）。
【００５０】
次に、残量判定部４０５が、電池残量が第３閾値未満であるか否かを判定する（ステップＳＡ７）。
このステップＳＡ７の判定処理にて、電池残量が第３閾値未満でない、すなわち、第３閾値以上であると判定されると（ステップＳＡ７：ＮＯ）、制御部４０は、省電力処理を終了する。このように、電池残量が第２閾値未満で第３閾値以上である場合には、方位表示モード及び高度表示モードへの切替規制と、方位センサーの停止と、高度の演算の停止とが実行される。
【００５１】
一方、ステップＳＡ７の判定処理にて、電池残量が第３閾値未満であると判定されると（ステップＳＡ７：ＹＥＳ）、動作制御部４０６が、モード設定部４０１を制御して、気圧表示モードへの切り替えを規制する（ステップＳＡ８）。また、動作制御部４０６は、計測制御部４０３を制御して、気圧センサーを停止させる（ステップＳＡ９）。このように、電池残量が第３閾値未満である場合には、方位表示モード、高度表示モード及び気圧表示モードへの切替規制と、方位センサー及び気圧センサーの停止と、高度の演算の停止とが実行される。
このステップＳＡ８，ＳＡ９の終了とともに、制御部４０は、省電力処理を終了する。
なお、このような省電力処理に、上記した計測時間、計測周期及び通信時間の変更を含めてもよい。
【００５２】
［第１実施形態の効果］
以上説明した本実施形態に係る電子時計１は、以下の効果がある。
二次電池３３の電池残量が第１閾値未満である場合、方位表示モードへの切り替えが規制される。また、当該電池残量が第１閾値より小さい第２閾値未満である場合、方位表示モードに加えて高度表示モードへの切り替えが規制される。更に、当該電池残量が第２閾値より小さい第３閾値未満である場合、これら方位表示モード及び高度表示モードに加えて気圧表示モードへの切り替えが規制される。これによれば、これらの表示モードにて計測結果（計測値）を表示針Ｈ６〜Ｈ８によって表示する際に必要な電力が消費されることを抑制できる。従って、電子時計１の電力消費を抑制できる。
【００５３】
動作制御部４０６は、二次電池３３の電池残量が上記第１閾値未満になると、計測部３８の方位センサーを停止させ、方位の計測を規制する。また、動作制御部４０６は、当該電池残量が上記第２閾値未満になると、高度の演算を停止させて、高度の計測を規制し、当該電池残量が上記第３閾値未満になると、計測部３８の気圧センサーを停止させ、気圧の計測を規制する。これによれば、表示部２２による計測結果の表示だけでなく、計測部３８による計測も規制されるので、電子時計１の電力消費を更に抑制できる。
なお、方位、高度及び気圧のうち、方位の計測に要する電力が最も高く、気圧の計測に要する電力が最も低い。このような消費電力の大きさの順に、表示モードへの切り替えが規制されるので、電子時計１の持続時間を長くすることができる。
【００５４】
［第２実施形態］
次に、本発明の第２実施形態について説明する。
本実施形態に係る電子時計は、上記電子時計１と同様の構成を有する。ここで、電子時計１では、電池残量に応じて、方位、高度及び気圧の各表示モードへの切替を制限することによって電力消費を抑制した。これに対し、本実施形態に係る電子時計では、高度又は気圧を表示する際に、計測値の上位二桁又は下位二桁を表示しないことによって電力消費を抑制する。この点で、本実施形態に係る電子時計と電子時計１とは相違する。なお、以下の説明では、既に説明した部分と同一又は略同一である部分については、同一の符号を付して説明を省略する。
【００５５】
図５は、本実施形態に係る電子時計の制御部４０により実行される省電力処理を示すフローチャートである。
本実施形態に係る電子時計は、上記電子時計１と同様の構成を有するが、制御部４０は、記憶部３９に記憶された省電力プログラムを実行することにより、図５に示す省電力処理を実施する。この省電力処理は、高度又は気圧を表示する際に、第１モーター３７５及び第２モーター３７６のいずれかを停止させ、上位二桁又は下位二桁を指示しないことによって電力消費を抑制する処理である。
【００５６】
この省電力処理では、図５に示すように、まず、動作制御部４０６が、現在の動作モードが高度表示モードであるか否かを判定する（ステップＳＢ１）。
ステップＳＢ１の判定処理にて、動作制御部４０６によって高度表示モードであると判定されると（ステップＳＢ１：ＹＥＳ）、残量判定部４０５が、二次電池３３の電池残量が上記第３閾値未満であるか否かを判定する（ステップＳＢ２）。
このステップＳＢ２の判定処理にて、電池残量が第３閾値未満でない、すなわち、第３閾値以上であると判定されると（ステップＳＢ２：ＮＯ）、制御部４０は、処理をステップＳＢ４に移行する。
一方、ステップＳＢ２の判定処理にて、電池残量が第３閾値未満であると判定されると（ステップＳＢ２：ＹＥＳ）、動作制御部４０６は、表示制御部４０４を制御して、上記表示針Ｈ８を回動させる第２モーター３７６を停止させる（ステップＳＢ３）。この後、制御部４０は、処理をステップＳＢ４に移行する。
【００５７】
ステップＳＢ４では、表示制御部４０４によって、計測部３８によって計測された高度の計測結果（計測値）を表示する（ステップＳＢ４）。
この際、上記ステップＳＢ３を経ていない場合、すなわち、電池残量が第３閾値以上である場合には、第１モーター３７５及び第２モーター３７６のそれぞれが有効であるので、表示針Ｈ６〜Ｈ８によって、高度の計測値が指示される。
一方、上記ステップＳＢ３を経て、第２モーター３７６が停止されている場合には、四桁の計測値のうち上位二桁のみが、第１モーター３７５により回動される表示針Ｈ６，Ｈ７によって指示され、下位二桁は指示されない。この場合、表示針Ｈ８の位置は、初期位置（１２時方向を示す位置）又は直前の計測値における下位二桁の数値を示す位置のままとなる。このように、表示針Ｈ８が回動されないことにより、高度を表示する際の消費電力が低減される。
このようなステップＳＢ４の後、制御部４０は、省電力処理を終了させる。
【００５８】
上記ステップＳＢ１の判定処理にて、動作制御部４０６によって高度表示モードでないと判定されると（ステップＳＢ１：ＮＯ）、当該動作制御部４０６は、現在の動作モードが気圧表示モードであるか否かを判定する（ステップＳＢ５）。
このステップＳＢ５の判定処理にて、気圧表示モードであると判定されると（ステップＳＢ５：ＹＥＳ）、残量判定部４０５が、二次電池３３の電池残量が上記第３閾値未満であるか否かを判定する（ステップＳＢ６）。
このステップＳＢ６の判定処理にて、電池残量が第３閾値未満でない、すなわち、第３閾値以上であると判定されると（ステップＳＢ６：ＮＯ）、制御部４０は、処理をステップＳＢ８に移行する。
一方、ステップＳＢ６の判定処理にて、電池残量が第３閾値未満であると判定されると（ステップＳＢ６：ＹＥＳ）、動作制御部４０６は、表示制御部４０４を制御して、上記表示針Ｈ６，Ｈ７を回動させる第１モーター３７５を停止させる（ステップＳＢ７）。この後、制御部４０は、処理をステップＳＢ８に移行する。
【００５９】
ステップＳＢ８では、上記ステップＳＢ４と同様に、表示制御部４０４によって、計測部３８によって計測された気圧の計測結果（計測値）を表示する（ステップＳＢ８）。
この際、上記ステップＳＢ７を経ていない場合、すなわち、電池残量が第３閾値以上である場合には、第１モーター３７５及び第２モーター３７６のそれぞれが有効であるので、表示針Ｈ６〜Ｈ８によって、気圧の計測値が指示される。
一方、上記ステップＳＢ７を経て、第１モーター３７５が停止されている場合には、四桁の計測値のうち、下位二桁のみが第２モーター３７６により回動される表示針Ｈ８によって指示され、上位二桁は指示されない。この場合でも、表示針Ｈ６，Ｈ７の位置は、初期位置（１２時方向を示す位置）又は直前の計測値における上位二桁の数値を示す位置のままとなる。これにより、気圧を表示する際の消費電力が低減される。
このようなステップＳＢ８の後、制御部４０は、省電力処理を終了させる。
【００６０】
上記ステップＳＢ５の判定処理にて、現在の動作モードが気圧表示モードでないと判定されると（ステップＳＢ５：ＮＯ）、動作制御部４０６は、当該動作モードが方位表示モードであるか否かを判定する（ステップＳＢ９）。
この判定処理にて、方位表示モードでないと判定されると（ステップＳＢ９：ＮＯ）、現在の動作モードは、基本モード、機内モード及び通信モードのいずれかである。この場合には、本実施形態では、電力消費抑制処理は実施されないので、制御部４０は、省電力処理を終了させる。
一方、ステップＳＢ９の判定処理にて、方位表示モードであると判定されると（ステップＳＢ９：ＹＥＳ）、動作制御部４０６は、表示制御部４０４を制御して、計測部３８によって計測された方位の計測結果（計測値）を表示針Ｈ８に指示させる（ステップＳＢ１０）。このステップＳＢ１０の後、制御部４０は、省電力処理を終了させる。
このような省電力処理は、所定間隔で繰り返し実行される。
【００６１】
なお、上記ステップＳＢ３では、第２モーター３７６を停止させ、上記ステップＳＢ７では、第１モーター３７５を停止させたが、これらステップＳＢ３，ＳＢ７にて停止されるモーターは、逆でもよく、同じでもよい。
ここで、例えば登山においては、高度や気圧は比較的高い頻度で確認されるが、高度については下位二桁より上位二桁の方が重要である一方、気圧については上位二桁より下位二桁の方が重要である。このため、計測結果が表示される計測項目に応じて、電池残量が低下した場合に停止されるモーターを設定することにより、必要な情報を表示しつつ、消費電力を低減させることができる。
一方、方位表示モードでは、方位は表示針Ｈ８によって指示されることから、表示針Ｈ６，Ｈ７を回動させる第１モーター３７５は停止されるので、運針による消費電力はそれほど大きくない。このため、上記省電力処理では、現在の動作モードが方位表示モードであれば、電池残量に依らずに表示針Ｈ８が方位を指示する。しかしながら、本実施形態における省電力処理においても、上記第１実施形態における省電力処理と同様に、電池残量に応じて方位表示モードへの切り替えを規制してもよい。
【００６２】
［第２実施形態の効果］
以上説明した本実施形態に係る電子時計によれば、上記電子時計１と同様の効果を奏することができる他、以下の効果を奏することができる。
本実施家携帯に係る電子時計は、上記電子時計１と同様に、計測部３８と、駆動電力を供給する二次電池３３（電池）と、表示部２２と、装置全体を制御する制御部４０と、を有する。これらのうち、表示部２２は、計測部３８による計測結果を表示する表示針Ｈ６〜Ｈ８を有し、これらのうち、表示針Ｈ６，Ｈ７（上位桁表示針）は、四桁の高度及び気圧を表示する際に上位二桁の数値を示し、表示針Ｈ８（下位桁表示針）は、下位二桁の数値を示す。そして、動作モードが高度表示モードである場合には、制御部４０が有する動作制御部４０６は、二次電池３３の電池残量が所定値（第３閾値）未満になると、第２モーター３７６を停止して、表示針Ｈ８による下位二桁の計測値の表示を規制し、表示針Ｈ６，Ｈ７による上位二桁の計測値を表示する。一方、動作モードが気圧表示モードである場合には、動作制御部４０６は、電池残量が所定値（第３閾値）未満になると、第１モーター３７５を停止して、表示針Ｈ６，Ｈ７による上位二桁の計測値の表示を規制し、表示針Ｈ８による下位二桁の計測値を表示する。これよれば、一方の表示針の駆動に必要な電力の消費を抑制できる。従って、電子時計の電力消費を抑制できる。
【００６３】
電池残量が所定値（第３閾値）未満となった場合で、計測部３８が計測可能な複数の計測項目のうちの高度を表示する場合には、計測された高度における下位二桁の表示針Ｈ８による表示が規制され、気圧を表示する場合には、計測された気圧における上位二桁の表示針Ｈ６，Ｈ７による表示が規制される。これによれば、計測項目において変動が大きな桁や重視される桁を表示する表示針以外の表示針が規制されることにより、最低限必要な数値を表示しつつ、電子時計の電力消費を抑制できる。
【００６４】
［第３実施形態］
次に、本発明の第３実施形態について説明する。
本実施形態に係る電子時計は、上記電子時計１と同様の構成を有する。ここで、本実施形態に係る電子時計は、計測部３８による計測結果を表示する際に、電池残量に応じた計測回数の平均値を当該計測結果として表示することにより、電力消費を抑制する。この点で、本実施形態に係る電子時計と、上記電子時計１とは相違する。なお、以下の説明では、既に説明した部分と同一又は略同一である部分については、同一の符号を付して説明を省略する。
【００６５】
図６は、本実施形態に係る電子時計の制御部４０により実行される省電力処理を示すフローチャートである。
本実施形態に係る電子時計は、上記電子時計１と同様の構成を有する。この電子時計において、制御部４０は、記憶部３９に記憶された省電力プログラムを実行して、図６に示す省電力処理を実施する。この省電力処理は、それぞれ上記した方位表示モード、高度表示モード及び気圧表示モードのいずれかに動作モードが設定された場合（すなわち、計測部３８によって計測可能な計測項目の計測結果を表示する場合）に実施され、電池残量に応じた計測回数の平均値を計測結果として表示することにより、電力消費を抑制する処理である。
以下、当該省電力処理について説明する。
【００６６】
本実施形態における省電力処理では、図６に示すように、まず、残量判定部４０５が、二次電池３３の電池残量が第２閾値未満であるか否かを判定する（ステップＳＣ１）。
この判定処理にて、電池残量が第２閾値未満でない、すなわち、第２閾値以上であると判定されると（ステップＳＣ１：ＮＯ）、動作制御部４０６は、計測結果としての平均値を得るための計測回数に第１回数を設定する（ステップＳＣ２）。この第１回数は、本実施形態では５に設定されている。
この後、制御部４０は、処理をステップＳＣ６に移行する。
【００６７】
上記ステップＳＣ１の判定処理にて、電池残量が第２閾値未満であると判定されると（ステップＳＣ１：ＹＥＳ）、残量判定部４０５は、電池残量が第３閾値未満であるか否かを判定する（ステップＳＣ３）。
この判定処理にて、電池残量が第３閾値未満でない、すなわち、第３閾値以上であると判定されると（ステップＳＣ３：ＮＯ）、動作制御部４０６は、上記計測回数に上記第１回数より少ない第２回数を設定する（ステップＳＣ４）。この第２回数は、本実施形態では３に設定されている。
この後、制御部４０は、処理をステップＳＣ６に移行する。
【００６８】
上記ステップＳＣ３の判定処理にて、電池残量が第３閾値未満であると判定されると（ステップＳＣ３：ＹＥＳ）、動作制御部４０６は、上記計測回数に上記第２回数より少ない第３回数を設定する（ステップＳＣ５）。この第３回数は、本実施形態では１に設定されている。
この後、制御部４０は、処理をステップＳＣ６に移行する。
【００６９】
ステップＳＣ６では、動作制御部４０６が、計測制御部４０３によって計測部３８に、該当する計測項目の計測を上記計測回数実施させる（ステップＳＣ６）。例えば、現在の動作モードが気圧表示モードであり、設定された計測回数が上記第２回数であれば、動作制御部４０６は、計測部３８に気圧の計測を３回実施させる。
この後、動作制御部４０６は、計測制御部４０３を制御して、計測部３８に、実施された計測回数の計測値の平均値を算出させ、表示制御部４０４を制御して、表示部２２に当該平均値を計測結果として表示させる（ステップＳＣ７）。具体的に、当該平均値が算出されると、動作制御部４０６は、表示制御部４０４を介して、駆動部３７の第１モーター３７５及び第２モーター３７６により表示針Ｈ６〜Ｈ８（方位の場合では表示針Ｈ８）を回動させて、当該平均値を指示させる。
このステップＳＣ７の後、制御部４０は、省電力処理を終了させる。
【００７０】
［第３実施形態の効果］
以上説明した本実施形態に係る電子時計によれば、上記電子時計１と同様の効果を奏することができる他、以下の効果を奏することができる。
本実施形態に係る電子時計は、方位、高度及び気圧を計測する計測部３８と、駆動電力を供給する二次電池３３（電池）と、計測部３８による計測結果を指示する表示針Ｈ６〜Ｈ８を有する表示部２２と、装置全体の動作を制御する制御部４０と、を有する。これらのうち、制御部４０の動作制御部４０６は、二次電池３３の電池残量が第２閾値以上である場合には、５回の計測値の平均値を表示針Ｈ６〜Ｈ８に指示させる。また、動作制御部４０６は、電池残量が第２閾値未満で第３閾値以上である場合には、３回の計測値の平均値を表示針Ｈ６〜Ｈ８に指示させ、第３閾値未満である場合には、１回の計測値を表示針Ｈ６〜Ｈ８に指示させる。これによれば、平均値を算出する際の計測値の数を少なくすることができる。従って、電池残量が第２閾値未満となった場合に、第２閾値以上である場合に比べて平均値の演算に要する消費電力を低減できるので、電子時計の電力消費を抑制できる。
【００７１】
動作制御部４０６は、電池残量が第２閾値以上であれば、計測部３８に５回の計測を実施させ、第２閾値未満で第３閾値以上であれば、３回の計測を実施させ、第３閾値未満であれば、１回の計測を実施させる。これによれば、電池残量に応じて、計測部３８による計測回数を減らすことができる。従って、電子時計の電力消費を抑制できる。
【００７２】
［実施形態の変形］
本発明は、上記各実施形態に限定されるものではなく、本発明の目的を達成できる範囲での変形、改良等は本発明に含まれるものである。
上記第１実施形態では、動作モードの切替を規制し、上記第２実施形態では、表示針Ｈ６〜Ｈ８による計測結果（計測値）の表示を規制し、上記第３実施形態では、平均値を算出する際に利用される計測値の数及び計測回数を設定することによって、電池残量が少なくなった場合の更なる電力消費を抑制した。また、上記第１実施形態では、電池残量に応じた計測時間及び計測周期の変更や、通信時間の短縮を行った。このような電力消費を抑制する処理は、互いに組み合わせてもよい。
例えば、上記第２実施形態では、電子時計の動作モードが方位表示モードである場合には、二次電池３３の電池残量に依らずに方位を表示針Ｈ８によって指示するとした。これに対し、当該電池残量が第３閾値未満となった場合には、方位表示モードへの切り替えを規制するように構成してもよい。
【００７３】
上記第１実施形態では、二次電池３３の電池残量と第１〜第３閾値とを比較し、上記第２実施形態では、当該電池残量と第３閾値とを比較し、上記第３実施形態では、当該電池残量と第２及び第３閾値とを比較した。しかしながら、本発明はこれに限らない。
例えば、上記第１実施形態では、当該電池残量と第１〜第３閾値のうちの１つ又は２つとを比較する構成としてもよい。そして、指標となる閾値が１つの場合には、電池残量が当該閾値未満となった場合に、全ての表示モードへの切り替えを規制してもよい。また、計測部３８により計測可能な計測項目を表示する表示モードのうち、少なくとも１つが電池残量に応じて規制されれば、他の表示モードは規制されなくてもよい。更に、表示モードの規制順も適宜変更可能であり、例えば、電池残量が第１閾値未満となった場合に、まず高度表示モードへの切り替えを規制してもよい。
また、上記第２実施形態では、当該電池残量と第１閾値又は第２閾値とを比較するように構成してもよく、上記第３実施形態では、当該電池残量と第１及び第２閾値、或いは、第１閾値及び第３閾値とを比較するように構成してもよい。
そして、上記のように、第１〜第３閾値が対応する電池残量は、適宜変更可能である。
【００７４】
上記第１実施形態では、所定の計測項目の計測結果を表示する表示モードへの切り替えが電池残量に応じて規制された際に、計測部３８による当該計測項目の計測も停止するとした。しかしながら、これに限らず、動作モードの切り替えが規制された場合でも、計測部３８による計測（例えば定期的な計測）は継続させてもよい。
【００７５】
上記各実施形態では、計測部３８による計測結果（計測値）、及び、外部機器である計測装置による計測結果（計測値）を指示する表示針は、表示針Ｈ６〜Ｈ８であるとした。そして、表示針Ｈ６は、計測値のうち上位一桁目の数値を示し、表示針Ｈ７は、計測値のうち上位二桁目の数値を指示し、表示針Ｈ８は、計測値のうち上位三桁目及び四桁目（下位二桁）の数値を指示するとした。しかしながら、これに限らず、計測値を示す表示針の数は、適宜変更可能である。例えば、四桁の計測値を表示する場合、各桁に合わせて表示針を設けてもよく、上位二桁の数値を示す１つの表示針と、下位二桁の数値を示す１つの表示針とを表示部２２に設けてもよい。この場合、上記第２実施形態では、これら２つの表示針のうち一方の表示針による数値の表示を規制すればよい。更に、計測値は四桁に限らず、例えば、脈拍数を示す場合等、三桁であってもよい。この他、計測結果を指示する指針に、時針Ｈ１、分針Ｈ２及び秒針Ｈ３の少なくともいずれかが含まれていてもよい。
また、表示針Ｈ６〜Ｈ８に代えて、或いは、加えて、上記計測結果（計測値）を示すディスプレイを表示部２２に設けてもよい。
【００７６】
上記各実施形態では、駆動電力を供給する電池として、発電部３１によって発電された電力により、充電部３２が充電可能な二次電池３３を挙げた。しかしながら、これに限らず、一次電池を採用してもよい。この場合、発電部３１及び充電部３２を省略できる。
【００７７】
上記各実施形態では、計測部３８は、方位センサー及び気圧センサーによる検出結果に基づいて、方位、高度及び気圧を計測するとした。しかしながら、これに限らず、上記のように、他のセンサーを有する等して、これら方位、高度及び気圧に代えて、或いは、加えて、他の計測項目を計測可能に、計測部３８を構成してもよい。
【００７８】
上記各実施形態では、表示部２２は、図１に示したレイアウトにて指針Ｈ及び小窓２４〜２６が配置された文字盤２３を有するとした。しかしながら、これに限らず、文字盤２３のレイアウトは適宜変更可能である。
上記各実施形態では、電子時計は、受信部３４及び通信部３６を有するとした。しかしながら、これに限らず、外部から送信された電波を受信しない構成とする場合には、これら受信部３４及び通信部３６は無くてもよい。すなわち、受信部３４及び通信部３６は必須の構成ではない。また、電子時計は、外部機器と有線にて通信する構成としてもよい。
【符号の説明】
【００７９】
１…電子時計、２２…表示部、３３…二次電池（電池）、３８…計測部、４０…制御部、４０１…モード設定部、４０２…通信制御部、４０３…計測制御部、４０４…表示制御部、４０５…残量判定部、４０６…動作制御部、Ｈ６，Ｈ７…表示針（上位桁表示針）、Ｈ８…表示針（下位桁表示針）。
【図１】
2018159666.tif 000003
【図２】
2018159666.tif 000004
【図３】
2018159666.tif 000005
【図４】
2018159666.tif 000006
【図５】
2018159666.tif 000007
【図６】
2018159666.tif 000008